(57)【要約】本明細書で開示される方法及び装置は、将来の送信リソース割り当ての標識を送信しデータ受信ユニットから対応するリンク適応のフィードバックを受信する１つ以上のデータ送信ユニットに基づいて、リンク適応のフィードバックが、将来の送信間隔のために前もって決定されることを可能にする。将来の送信割り当ての知識は、個々のデータ送信ユニットが、将来の送信間隔についての干渉状況を予測し、これにより低い干渉状況を利用するリンク適応のフィードバックを算出することを可能にする。個々のデータ送信ユニットは、自身がサポートするデータ受信ユニットから、将来の送信間隔についてのリンク適応のフィードバックを受信し、将来の送信間隔についての対応するリンク適応を行なう。このような動作が、１つ以上の実施形態において、広帯域符号分割多重アクセス（ＷＣＤＭＡ）、ＬＴＥ、又は、ＷｉＭＡＸネットワークにおいて実行され、データ送信ユニットは無線基地局を含み、データ受信ユニットは無線通信装置を含む。【選択図】図２
2010520659.tif 000002
【特許請求の範囲】
【請求項１】
無線通信ネットワークにおけるリンク適応方法であって、
１つ以上のデータ送信ユニットから、将来の送信間隔についての将来の送信リソース割り当てをシグナリングする工程であって、それにより、近傍のデータ受信ユニットが前記将来の送信間隔についてのリンク適応フィードバックの干渉に基づく決定において前記将来のリソース割り当てを考慮することが可能となる、当該工程と、
所与のデータ送信ユニットにおいて、前記データ受信ユニットのうち関連するデータ受信ユニットから、前記将来の送信間隔についてのリンク適応のフィードバックを受信する工程と、
前記将来の送信間隔内に、前記所与のデータ送信ユニットにおいて、前記リンク適応のフィードバックに従って前記関連するデータ受信ユニットのために送信リンクを適応させる工程と、
を含むリンク適応方法。
【請求項２】
前記１つ以上のデータ送信ユニットにわたって送信間隔を同期させる工程をさらに含み、それにより、前記将来の送信間隔は、実質的に前記データ送信ユニットにわたって同期して生じる、請求項１に記載の方法。
【請求項３】
前記将来の送信間隔について、各前記データ送信ユニットのそれぞれから前記将来の送信リソース割り当てをシグナリングする工程をさらに含む、請求項２に記載の方法。
【請求項４】
１つ以上のデータ送信ユニットから将来の送信間隔についての将来の送信リソース割り当てをシグナリングする工程は、１つ以上の前記データ送信ユニットのそれぞれについて、１つ以上のデータ送信ユニットが前記将来の送信間隔で送信をしようとしているか否かの標識を送信する工程を含む、請求項１に記載の方法。
【請求項５】
１つ以上のデータ送信ユニットから将来の送信間隔についての将来の送信リソース割り当てをシグナリングする工程は、１つ以上の前記データ送信ユニットのそれぞれについて、前記将来の送信間隔において１つ以上のデータ送信ユニットにより利用されるチャネライゼーション・リソース割り当てに対応するチャネライゼーション・リソース割り当て情報を送信する工程を含む、請求項１に記載の方法。
【請求項６】
前記将来の送信間隔において前記データ送信ユニットにより利用されるチャネライゼーション・リソース割り当てに対応するチャネライゼーション・リソース割り当て情報を送信する工程は、前記将来の送信間隔において１つ以上のデータ送信ユニットにより利用されるチャネライゼーションコード又はチャネライゼーション周波数を識別する情報を送信する工程を含む、請求項５に記載の方法。
【請求項７】
前記将来の送信間隔において１つ以上のデータ送信ユニットにより利用されるチャネライゼーション・リソース割り当てに対応するチャネライゼーション・リソース割り当て情報を送信する工程は、前記将来の送信間隔において１つ以上のチャネライゼーションコード又はチャネライゼーション周波数と共に利用される、送信データレートと送信パワー割り当てとのうち少なくとも１つを識別する情報を送信する工程を含む、請求項５に記載の方法。
【請求項８】
１つ以上の前記データ送信ユニットにおいて、不利な受信状況におけるデータ受信ユニットへのサービスを改善することを指向する対象のスケジューリングに基づいて前記将来の送信リソース割り当てを決定する工程をさらに含む、請求項１に記載の方法。
【請求項９】
１つ以上の前記データ送信ユニットにおいて、前記データ受信ユニットのうちの前記将来の送信間隔でのサービス提供先の候補となる関連するデータ受信ユニットについての無線条件の知識に基づいて、前記将来の送信リソース割り当てを決定する工程をさらに含む、請求項１に記載の方法。
【請求項１０】
前記所与のデータ送信ユニットにおいて、前記データ受信ユニットのうちの関連するデータ受信ユニットから前記将来の送信間隔についてのリンク適応のフィードバックを受信する工程は、信号品質の測定値、チャネル品質インジケータ、リソースプリファレンス、及びデータレート要求のうちの少なくとも１つを受信する工程を含む、請求項１に記載の方法。
【請求項１１】
前記データ送信ユニットは、広帯域符号分割多重アクセス（ＷＣＤＭＡ：Wideband  Code  Division  Multiple  Access）通信ネットワーク内での動作のために構成される無線基地局を含み、１つ以上のデータ送信ユニットから将来の送信間隔についての将来の送信リソース割り当てをシグナリングする工程は、将来の送信時間間隔（ＴＴＩ：Transmit  Time  Interval）についての将来の送信リソース割り当てをシグナリングする工程を含む、請求項１に記載の方法。
【請求項１２】
前記将来の送信間隔において、前記所与の送信ユニットにて、前記リンク適応のフィードバックに従って前記関連するデータ受信ユニットのために送信リンクを適応させる工程は、前記リンク適応のフィードバックに基づくフォーマットを用いて、前記データ送信ユニットから前記データ受信ユニットへとデータを送信する工程を含む、請求項１に記載の方法。
【請求項１３】
前記データ送信ユニットによって送信される他の制御信号に割り当てられるより大きな信号パワーを利用して、前記将来の送信リソース割り当てをシグナリングする工程をさらに含み、これにより、確実な制御シグナリングの受信圏外にあるが依然として前記データ送信ユニットにより引き起こされる干渉を受けやすいデータ受信ユニットのための前記信号の受信が強化される、請求項１に記載の方法。
【請求項１４】
無線通信ネットワークにおいて利用するための、１つ以上の処理回路を含むデータ送信ユニットであって、
前記１つ以上の処理回路は、
近傍のデータ受信ユニットが将来の送信間隔についてのリンク適応フィードバックの干渉に基づく決定において将来のリソース割り当てを考慮することが可能となるように、前記将来の送信間隔についての将来の送信リソース割り当てをシグナリングし、
前記将来の送信間隔についてのリンク適応のフィードバックを、関連するデータ受信ユニットから受信し、
前記リンク適応のフィードバックに従って、前記将来の送信間隔において前記関連するデータ受信ユニットのために送信リンクユニットを適応させる、
ように構成される、データ送信ユニット。
【請求項１５】
前記データ送信ユニットは、無線通信ネットワーク内での動作のために構成される無線基地局を含む、請求項１４に記載のデータ送信ユニット。
【請求項１６】
前記送信ユニットは、データ受信ユニットへと信号を送信し前記データ送信ユニットから信号を受信するように構成される無線通信インタフェースをさらに含み、前記１つ以上の処理回路は、前記将来の送信間隔についての前記将来の送信リソース割り当てを決定し前記将来の送信リソース割り当てを前記無線通信インタフェースを介して送信させるように構成されるスケジューリングコントローラと、前記リンク適応のフィードバックに従って前記将来の送信間隔において前記関連するデータ受信ユニットのために前記送信リンクを適応させるように構成されるリンク適応コントローラと、を含む、請求項１４に記載のデータ送信ユニット。
【請求項１７】
前記データ送信ユニットは、複数のデータ送信ユニットにおける１つとして動作し、前記複数のデータ送信ユニットにおいて１つ以上の他のデータ送信ユニットに関連して自身の送信間隔を同期させるように構成されており、それにより、前記送信間隔は実質的に前記データ送信ユニットにわたって同期して生じる、請求項１４に記載のデータ送信ユニット。
【請求項１８】
前記データ送信ユニットの前記１つ以上の処理回路は、１つ以上のデータ送信ユニットが前記将来の送信間隔において送信しようとしているか否かの標識を送信することによって、前記将来の送信間隔についての前記将来の送信リソース割り当てをシグナリングするように構成される、請求項１４に記載のデータ送信ユニット。
【請求項１９】
前記データ送信ユニットの前記１つ以上の処理回路は、前記将来の送信間隔において１つ以上のデータ送信ユニットにより利用されるチャネライゼーション・リソース割り当てに対応するチャネライゼーション・リソース割り当て情報を送信することによって、前記将来の送信間隔についての前記将来の送信リソース割り当てをシグナリングするように構成される、請求項１４に記載のデータ送信ユニット。
【請求項２０】
前記データ送信ユニットの前記１つ以上の処理回路は、前記将来の送信間隔において１つ以上のデータ送信ユニットにより利用されるチャネライゼーションコード又はチャネライゼーション周波数を識別する情報を送信することによって、前記チャネライゼーション・リソース割り当て情報を送信するように構成される、請求項１９に記載のデータ送信ユニット。
【請求項２１】
前記データ送信ユニットの前記１つ以上の処理回路は、前記将来の送信間隔において１つ以上のチャネライゼーションコード又はチャネライゼーション周波数と共に利用される、送信データレートと送信パワー割り当てとのうち少なくとも１つを識別する情報を送信することによって、前記チャネライゼーション・リソース割り当て情報を送信するように構成される、請求項１９に記載のデータ送信ユニット。
【請求項２２】
前記データ送信ユニットの前記１つ以上の処理回路は、不利な受信状況におけるデータ受信ユニットへのサービスを改善することを指向する対象のスケジューリングに基づいて前記将来の送信リソース割り当てを決定するように構成される、請求項１４に記載のデータ受信ユニット。
【請求項２３】
前記データ送信ユニットの前記１つ以上の処理回路は、前記将来の送信間隔に前記データ送信ユニットによるサービス提供先の候補となる関連するデータ受信ユニットについての無線条件の知識に基づいて、前記将来の送信リソース割り当てを決定するように構成される、請求項１４に記載のデータ受信ユニット。
【請求項２４】
前記データ送信ユニットの前記１つ以上の処理回路は、信号品質の測定値、チャネル品質インジケータ、リソースプリファレンス、及びデータレート要求のうちの少なくとも１つとしての前記リンク適応のフィードバックを受信するように構成される、請求項１４に記載のデータ受信ユニット。
【請求項２５】
前記データ送信ユニットの前記１つ以上の処理回路は、前記リンク適応のフィードバックに基づくフォーマットを用いて前記データ送信ユニットから前記データ受信ユニットへとデータを送信することによって、前記リンク適応のフィードバックに従って前記将来の送信間隔において前記関連するデータ受信ユニットのために送信リンクユニットを適応させるように構成される、請求項１４に記載のデータ送信ユニット。
【請求項２６】
前記データ送信ユニットは、前記データ送信ユニットによって送信される他の制御信号に割り当てられるより大きな信号パワーを利用して、前記将来の送信リソースをシグナリングするように構成されており、これにより、確実な制御シグナリングの受信圏外にあるが依然として前記データ送信ユニットにより引き起こされる干渉を受けやすいデータ受信ユニットのための前記信号の受信が強化される、請求項１４に記載のデータ送信ユニット。
【請求項２７】
複数のデータ送信ユニットを有する無線通信ネットワーク内での動作のために構成されるデータ受信ユニットにおいて、リンク適応をサポートする方法であって、
将来の送信間隔において１つ以上のデータ送信ユニットにより利用される将来の送信リソース割り当ての標識を受信する工程と、
将来の送信リソース割り当ての前記標識に基づいて前記将来の送信間隔についてのリンク適応のフィードバックを決定する工程と、
前記データ送信ユニットのうちのサポート用データ送信ユニットへと前記将来の送信間隔についての前記リンク適応のフィードバックを送信する工程と、
を特徴とする、リンク適応をサポートする方法。
【請求項２８】
将来の送信間隔において１つ以上のデータ送信ユニットにより利用される将来の送信リソース割り当ての標識を受信する工程は、複数のデータ送信ユニットにおけるそれぞれから、前記将来の送信間隔についての将来の送信リソース割り当ての標識を受信する工程を含む、請求項２７に記載の方法。
【請求項２９】
将来の送信リソース割り当ての前記標識に基づいて前記将来の送信間隔についてのリンク適応のフィードバックを決定する工程は、将来の送信リソース割り当ての前記標識に基づいて前記将来の送信間隔についての干渉状況を予測する工程を含む、請求項２７に記載の方法。
【請求項３０】
将来の送信リソース割り当ての前記標識は、１つ以上のデータ送信ユニットのそれぞれについて、前記データ送信ユニットが前記将来の送信間隔において１つ以上の送信タイプに関してアクティブか否かの標識を含み、将来の送信リソース割り当ての前記標識に基づいて前記将来の送信間隔についての干渉状況を予測する工程は、前記データ送信ユニットがアクティブか否かについての前記対応する標識に従って、個々のデータ送信ユニットの干渉への寄与を考慮し又は考慮しない工程を含む、請求項２９に記載の方法。
【請求項３１】
将来の送信リソース割り当ての前記標識は、１つ以上のデータ送信ユニットのそれぞれについての前記送信間隔に関するチャネライゼーション・リソース割り当て情報を含み、将来の送信リソース割り当ての前記標識に基づいて前記将来の送信間隔についての干渉状況を予測する工程は、前記対応するチャネライゼーション・リソース割り当て情報に基づいて、個々のデータ送信ユニットの干渉への寄与を推定する工程を含む、請求項２９に記載の方法。
【請求項３２】
将来の送信間隔において１つ以上のデータ送信ユニットにより利用される将来の送信リソース割り当ての標識を受信する工程は、複数のデータ送信ユニットにおけるそれぞれについて、前記将来の送信間隔に関するチャネライゼーション・リソース割り当て情報を受信する工程を含む、請求項２７に記載の方法。
【請求項３３】
将来の送信リソース割り当ての前記標識に基づいて前記将来の送信間隔についてのリンク適応のフィードバックを決定する工程は、前記対応するチャネライゼーション・リソース割り当て情報に基づいて、前記送信間隔についての前記複数のデータ送信ユニットにおける各データ送信ユニットの干渉への寄与を推定する工程を含む、請求項３２に記載の方法。
【請求項３４】
前記チャネライゼーション・リソース割り当て情報は、チャネライゼーションコード割り当てとチャネライゼーション周波数割り当てとのうち少なくとも１つを含み、前記対応するチャネライゼーション・リソース割り当て情報に基づいて、前記送信間隔について前記複数のデータ送信ユニットにおける各データ送信ユニットの干渉への寄与を推定する工程は、前記対応するチャネライゼーションコード又はチャネライゼーション周波数割り当ての知識に基づいて信号品質を決定する工程を含む、請求項３３に記載の方法。
【請求項３５】
前記データ送信ユニットのうちのサポート用データ送信ユニットへと、前記将来の送信間隔についての前記リンク適応のフィードバックを送信する工程は、前記サポート用データ送信ユニットへと、信号品質の測定値、チャネル品質インジケータ、及び、データレート要求のうちの少なくとも１つを送信する工程を含む、請求項２７に記載の方法。
【請求項３６】
前記データ受信ユニットは、広帯域符号分割多重アクセス（ＷＣＤＭＡ）無線通信ネットワーク内での動作のために構成される無線通信装置を含み、将来の送信間隔において１つ以上のデータ送信ユニットにより利用される将来の送信リソース割り当ての標識を受信する工程は、ＷＣＤＭＡ無線インタフェースの将来の送信時間間隔（ＴＴＩ）について、前記ＷＣＤＭＡ無線通信ネットワーク内の１つ以上の基地局から、将来の送信リソース割り当ての標識を受信する工程を含む、請求項２７に記載の方法。
【請求項３７】
前記データ受信ユニットは、ＷｉＭＡＸ又はＬＴＥ無線通信ネットワーク内での動作のために構成される無線通信装置を含み、将来の送信間隔において１つ以上のデータ送信ユニットにより利用される将来の送信リソース割り当ての標識を受信する工程は、ＷｉＭＡＸ又はＬＴＥ無線インタフェースの、将来の送信時間間隔（ＴＴＩ）若しくはフレームについて、前記ＷｉＭＡＸ又はＬＴＥ無線通信ネットワーク内の１つ以上の基地局から、将来の送信リソース割り当ての標識を受信する工程を含む、請求項２７に記載の方法。
【請求項３８】
複数のデータ送信ユニットを有する無線通信ネットワーク内での動作のために構成されるデータ受信ユニットであって、前記データ受信ユニットは１つ以上の処理回路を含み、
前記１つ以上の処理回路は、
将来の送信間隔において１つ以上のデータ送信ユニットにより利用される将来の送信リソース割り当ての標識を受信し、
将来の送信リソース割り当ての前記標識に基づいて前記将来の送信間隔についてのリンク適応のフィードバックを決定し、
前記データ送信ユニットのうちのサポート用データ送信ユニットへと、前記将来の送信間隔についての前記リンク適応のフィードバックを送信する、
ように構成される、データ受信ユニット。
【請求項３９】
前記データ受信ユニットの前記１つ以上の処理回路は、複数のデータ送信ユニットにおけるそれぞれから前記将来の送信間隔についての将来の送信リソース割り当ての標識を受信するように構成される、請求項３８に記載のデータ受信ユニット。
【請求項４０】
前記データ受信ユニットの前記１つ以上の処理回路は、将来の送信リソース割り当ての前記標識に基づいて前記将来の送信間隔についての干渉状況を予測することによって、前記将来の送信間隔についての前記リンク適応のフィードバックを決定するように構成される、請求項３８に記載のデータ受信ユニット。
【請求項４１】
将来の送信リソース割り当ての前記標識は、１つ以上のデータ送信ユニットそれぞれについて、前記データ送信ユニットが前記将来の送信間隔において１つ以上の送信タイプに関してアクティブか否かの標識を含み、前記データ受信ユニットの前記１つ以上の処理回路は、前記データ送信ユニットがアクティブか否かについての前記対応する標識に従って、個々のデータ送信ユニットの干渉状況を考慮し又は考慮しない工程に基づいて、前記将来の送信間隔について前記干渉状況を予測するように構成される、請求項４０に記載のデータ受信ユニット。
【請求項４２】
将来の送信リソース割り当ての前記標識は、１つ以上のデータ送信ユニットそれぞれについて、前記将来の送信間隔についてのチャネライゼーション・リソース割り当て情報を含み、前記データ受信ユニットの前記１つ以上の処理回路は、前記対応するチャネライゼーション・リソース割り当て情報に従って個々のデータ送信ユニットの干渉への寄与を推定することによって、前記将来の送信間隔についての前記干渉状況を予測するように構成される、請求項４０に記載のデータ受信ユニット。
【請求項４３】
前記データ受信ユニットの前記１つ以上の処理回路は、前記将来の送信間隔についての将来の送信リソース割り当ての前記標識として、複数のデータ送信ユニットにおけるそれぞれについて、チャネライゼーション・リソース割り当て情報を受信するように構成される、請求項３８に記載のデータ受信ユニット。
【請求項４４】
前記データ受信ユニットの前記１つ以上の処理回路は、将来の送信リソース割り当ての標識が受信された各データ送信ユニットについて、前記対応するチャネライゼーション・リソース割り当て情報に基づいて前記将来の送信間隔について前記データ送信ユニットの干渉への寄与を推定することによって、前記将来の送信間隔についての前記リンク適応のフィードバックを決定するように構成される、請求項４３に記載のデータ受信ユニット。
【請求項４５】
前記チャネライゼーション・リソース割り当て情報は、チャネライゼーションコード割り当てとチャネライゼーション周波数割り当てとのうち少なくとも１つを含み、前記データ受信ユニットの前記１つ以上の処理回路は、前記チャネライゼーションコード又は前記チャネライゼーション周波数割り当ての知識に基づいて信号品質を決定することによって、前記将来の送信間隔について各データ送信ユニットの前記干渉への寄与を推定するように構成される、請求項４４に記載のデータ受信ユニット。
【請求項４６】
前記データ受信ユニットの前記１つ以上の処理回路は、前記サポート用データ送信ユニットへと、信号品質の測定値、チャネル品質インジケータ、及び、データレート要求のうちの少なくとも１つを送信することによって、前記データ送信ユニットのうちのサポート用データ受信ユニットへと、前記送信間隔についての前記リンク適応のフィードバックを送信するように構成される、請求項３８に記載のデータ受信ユニット。
【請求項４７】
前記データ受信ユニットは、広帯域符号分割多重アクセス（ＷＣＤＭＡ）無線通信ネットワーク内での動作のために構成される無線通信装置を含み、将来の送信間隔において１つ以上のデータ送信ユニットにより利用される将来の送信リソース割り当ての標識を受信する工程は、前記ＷＣＤＭＡ無線通信ネットワーク内の１つ以上の基地局から、ＷＣＤＭＡ無線インタフェースの将来の送信時間間隔（ＴＴＩ）についての将来の送信リソース割り当ての標識を受信する工程を含む、請求項３８に記載のデータ受信ユニット。
【請求項４８】
前記データ受信ユニットは、前記無線通信ネットワーク内での１つ以上の基地局との無線通信をサポートするように構成される無線通信インタフェースを含み、前記１つ以上の処理回路は、前記無線通信インタフェースと動作上関連付けられており、前記将来の送信間隔についての前記リンク適応のフィードバックを算出するように構成されるリンク適応フィードバック回路を含む、請求項３８に記載のデータ受信ユニット。
【請求項４９】
前記リンク適応フィードバック回路は、干渉推定回路と信号品質推定回路とを含む、請求項４８に記載のデータ受信ユニット。
【請求項５０】
予想される干渉状況に基づいてリンク適応をサポートする方法であって、
複数の近傍のデータ送信ユニットに係る範囲内の個々のデータ受信ユニットが、将来の送信間隔に関連する干渉状況を推定し、これに従って前記将来の送信間隔についてのリンク適応のフィードバックを決定することを可能にするために、前記複数の近傍のデータ送信ユニットにおけるそれぞれから、将来の送信間隔について計画される将来の送信動作の標識を送信する工程と、
所与のデータ送信ユニットにおいて、前記所与のデータ送信ユニットによりサポートされるデータ受信ユニットから前記リンク適応のフィードバックを受信する工程と、
前記リンク適応のフィードバックに基づいて、前記将来の送信間隔について前記所与のデータ送信ユニットと前記データ受信ユニットとの間の送信リンクを適応させる工程と、
を含む、リンク適応をサポートする方法。
【請求項５１】
各データ送信ユニットについて、将来の送信動作の前記標識は、前記将来の送信間隔について前記データ送信ユニットにより計画される送信リソース割り当ての標識を含む、請求項５０に記載の方法。
【発明の詳細な説明】
【技術分野】
【０００１】
本発明は、一般にセルラ通信ネットワークのような通信システムに関し、特に、通信システムにおいて、拡散コード又はキャリアトーンなどのリソースを統計的に再利用するための方法及びシステムに関する。
【背景技術】
【０００２】
現在の、及び開発中の無線通信システムは一般に送信リンク適応を採用しており、この送信リンク適応は、変化する受信状況に応じて１つ以上の送信パラメータを変更する。１つの例として、リモート受信機は受信された信号品質を評価し、その品質において自身がサポート可能な受信されたデータレートを決定し、対応するデータレート要求を発信元の送信機へと返送する。それに応じて、送信機は、受信機に対して自身の次の送信を調整するために、要求されたデータレートを利用する。
【０００３】
このようなシステムでは、送信機が適応されたデータレートを利用する時間間隔の間の受信機の受信状況は、受信機が信号品質の自身の決定を行なった際の受信状況と同じである（又は十分に近い）という見解が潜在的にある。しかし、少なくとも幾つかの現在のネットワーク規格（及び多くの開発中のネットワーク規格）は、リモート受信機への配信のためにネットワークに入って来るパケットデータが一般にランダムに分散して到着する、高速パケットデータサービスを提供する。即ち、幾つかの送信間隔について、送信するデータをほとんど持たない、又は送信するデータを全く持たないネットワークの送信機もあれば、膨大な量の送信するデータを持つ送信機もある。
【０００４】
従って、ネットワークの送信機の所与の一群内での、パケットデータについての個々の送信動作は、連続する送信間隔にわたって非常に変化する可能性がある。これらの動作の変化を一層大きくすることに、所与の送信間隔に送信するためのパケットデータが存在する場合には、達成可能な最高レートでその間隔内にデータを送信するための基礎として、所与のネットワークの送信機が、かなりの送信パワー及び／又は他の送信リソースを割り当てる傾向がある。このアプローチによって、送信するパケットデータを送信機が持っているか否かに応じて、さらに、そうである場合には、このデータを送信する送信機により行なわれる送信リソース割り当てに応じて、周辺エリア内で動作する受信機に関して送信機によって引き起こされる干渉が、連続する送信間隔にわたって劇的に異なっている可能性がある。
【０００５】
リンク適応のフィードバックを決定することを試みる受信機に対して存在するこのような環境に関する課題を理解するために、１つ（以上）の近傍の送信機が盛んにパケットデータを送信している瞬間に、所与の受信機が、受信された信号品質を算出する可能性もあること、即ち、受信機による信号質の算出は、近傍のアクティブ（active）な送信機により引き起こされる干渉を、潜在的に高いレベルで反映することを考慮されたい。従って、より遅い受信時間の間これらの近傍の送信機が非アクティブ（inactive）である(又は、そうでなければより低いインタフェースで送信する)程度にまで、受信機によって経験される干渉のレベルはより低く、自身が以前に算出した信号品質は、これらの条件にとっては過度に悲観的である。従って、低い干渉状況の下であっても、受信機をサポートする送信機（supporting  transmitter）により前回計算された信号品質に基づいて適応された送信リンクのレベルで、受信機に不十分なサービスが提供される。
【発明の概要】
【発明が解決しようとする課題】
【０００６】
現在の、及び開発中のデジタル規格は、高速のデータレートをますます可能にしているが、現実の実装においてこの高速レートを達成することは、１つ以上の近傍の送信機が所与の送信間隔の間非アクティブである場合のように、低い干渉状況を効果的に利用する送信リンクの適応方法を必要とする。本発明によれば、「予測的」（“predictive”）リンク適応は、進行中の送信リンク適応工程の一部として、将来の予期される低い干渉状況を利用するための基礎を提供する。広帯域符号分割多重アクセス（ＷＣＤＭＡ：Wideband  Code  Division  Multiple  Access）無線通信ネットワークにおける高速ダウンリンクパケットアクセス（ＨＳＤＰＡ：High  Speed  Downlink  Packet  Access）の非限定的な文脈において設定される１つの例として、近傍のデータ送信ユニット１０が１つ以上の将来の送信間隔において送信リソースをどのように利用しようと計画しているか、について移動局に通知され、これにより、移動局は、自身が将来の送信間隔の間サービスのために要求することが可能なデータレートを非常に正確に知ることが可能になる。
【課題を解決するための手段】
【０００７】
広く述べると、本明細書で開示される方法及び装置は、予測的リンク適応のために提供される。データ送信ユニットは、将来の時間間隔についての自身の送信リソース割り当ての標識を提供し、それに応じて、データ受信ユニットはこの事前の知識を、将来の時間間隔よりも前に、リンク適応のフィードバックを決定するために利用する。少なくとも１つの実施形態において、無線通信ネットワークにおけるリンク適応方法は、１つ以上のデータ送信ユニットから、将来の送信間隔についての将来の送信リソース割り当てをシグナリングする工程を含み、それにより、近傍のデータ受信ユニットは、将来の送信間隔についてのリンク適応のフィードバックの、干渉に基づく自身の決定において、将来の送信リソース割り当てを考慮することが可能である。相補的に、本方法は、所与のデータ送信ユニットにおいて、データ受信ユニットのうちの関連するデータ受信ユニットから前もって、将来の送信間隔についてのリンク適応のフィードバックを受信する工程と、将来の間隔に、所与のデータ送信ユニットにおいて、リンク適応のフィードバックに従って関連するデータ受信ユニットのために送信リンクを適応させる工程と、を含む。
【０００８】
少なくとも１つの実施形態において、所与のデータ送信ユニットのために、将来の送信リソース割り当てをシグナリングする工程は、データ送信ユニットが将来の送信間隔において１つ以上の送信タイプに関してアクティブであるか否かの標識を送信する工程を含む。１つ以上の実施形態において、１つ以上のデータ送信ユニットから、将来の送信間隔についての将来の送信リソース割り当てをシグナリングする工程は、１つ以上のデータ送信ユニットのそれぞれのために、１つ以上のデータ送信ユニットが将来の送信間隔において送信しようとしているか否かの標識を送信する工程を含む。それに応じて、１つ以上の実施形態において、データ受信ユニットは、データ送信ユニットがアクティブであるかについての対応する標識に従って、個々のデータ送信ユニットの干渉への寄与を考慮し又は考慮しない工程に基づいて、将来の送信間隔についてのリンク適応のフィードバックを決定するように構成される。
【０００９】
当然のことながら、１つ以上の実施形態において、データ送信ユニットは、チャネライゼーション・リソース割り当てについての情報、例えば、チャネライゼーションコード及び／又はキャリア周波数に関する情報を送信すること等によって、より詳細に将来の送信リソース割り当てをシグナリングする。このような情報は、例えば、特定の送信シャネルタイプのためのコード及び／又は周波数割り当てを含んでもよく、所与のチャネライゼーション・リソースについての、送信パワー割り当て、データレート等に関する情報を含んでもよい。
【００１０】
将来の送信リソース割り当てについてのより詳細な情報により、個々のデータ受信ユニットは、将来の送信間隔についての干渉状況を予測することによって、将来の時間間隔についてのリンク適応のフィードバックを決定することが可能である。少なくとも１つの実施形態において、データ受信ユニットの方法は、対応するチャネライゼーション・リソース割り当て情報に従って（将来の送信間隔についての）個々のデータ送信ユニットの干渉への寄与を推定する工程を含む。例えば、個々のデータ受信ユニットは、対応するチャネライゼーションコード又はチャネライゼーション周波数割り当ての知識に基づいて信号障害相互相関を決定することによって、将来の送信間隔についての干渉状況を推定するように構成されうる。
【００１１】
当然のことながら、本発明は、上記の特徴及び効果に限定されない。実際に、当業者は、以下の詳細な記述を読み、添付の図面を見れば、追加的な特徴及び効果を理解するであろう。
【図面の簡単な説明】
【００１２】
【図１】１つ以上のデータ送信ユニットに通信サービスを提供するための複数のデータ送信ユニットを有する無線通信ネットワークの１つの実施形態のブロック図である。
【図２】本明細書で開示される予測的送信リンク適応のためのデータ送信ユニットの方法の１つの実施形態についての論理フロー図である。
【図３】本明細書で開示される予測的リンク適応をサポートするためのデータ受信ユニットの方法の１つの実施形態についての論理フロー図である。
【図４】予測的リンク適応のための、データ送信ユニットとデータ受信ユニットとの間でのシグナリングの１つの実施形態についての時系列図である。
【図５】予測的リンク適応をサポートするように構成された処理回路を含むデータ送信ユニット及びデータ受信ユニットの１つの実施形態のブロック図である。
【図６】図５に示されるデータ受信ユニットについての、サポート用（supporting）回路の詳細の１つの実施形態のブロック図である。
【図７】図５に示されるデータ送信ユニットについての、サポート用回路の詳細の１つの実施形態のブロック図である。
【発明を実施するための形態】
【００１３】
本明細書で開示される「予測的」（“predictive”）送信リンク適応を論じるための非限定的な関連として、図１は無線通信ネットワーク８を示しており、この無線通信ネットワーク８は、１つ以上の（リモート）データ受信ユニット１２との通信をサポートするためにそれぞれ構成された、複数のデータ送信ユニット１０を含んでいる。本明細書で開示される方法及び装置によれば、１つ以上のデータ送信ユニット１０は、将来の送信間隔についての将来の送信リソース割り当てをシグナリングし、これにより、データ受信ユニット１２のうちの適切に構成されたデータ受信ユニット１２が、将来の送信リソース割り当ての知識に基づいて、この将来の送信間隔についてのリンク適応のフィードバックを決定することを可能にする。
【００１４】
換言すれば、所与のデータ受信ユニット１２に、１つ以上のデータ送信ユニット１０で利用される送信リソース割り当てに関する情報が前もって提供される。特に、所与のデータ受信ユニット１２が、近傍のデータ送信ユニット１０から将来の送信割り当て情報を受信することは有益である。なぜならば、これらデータ送信ユニット１０での送信動作が、所与のデータ受信ユニット１２での干渉の受信の変化に著しく寄与する可能性があるからである。
【００１５】
例えば、引き続いて図１に示される非限定的な文脈において、データ送信ユニット１０−１は、複数のサービスセクタＳ１〜Ｓ３を有するセル１においてサービスを提供する。同様に、データ送信ユニット１０−２は、セルＣ２のセクタＳ１〜Ｓ３においてサービスを提供し、データ送信ユニット１０−３はセルＣ３のセクタＳ１〜Ｓ３においてサービスを提供する。しかし、実際には、セル／セクタのカバレージは重なっており、それにより、セルＣ１のセクタＳ２内で動作するデータ送信ユニット１２−１は、データ送信ユニット１０−１によりサポートされてもよいが、データ送信ユニット１２には、近傍のデータ送信ユニット１０−２と１０−３の１つ以上からの、干渉する送信が「聞こえる」（“hear”）。特に、他のセル／セクタ内での送信は、データ送信ユニット１０−１からデータ受信ユニット１２−１へと送信される信号の受信にとって、潜在的に重大な干渉の原因となる。一般に、各データ送信ユニット１０は、周辺のデータ受信ユニット１２に関して、他のセル／セクタの干渉を引き起こす。
【００１６】
しかし、いずれの所与の送信間隔においても、近傍のデータ送信ユニット１０が所与のデータ受信ユニット１２での干渉を引き起こすのか、及び、近傍のデータ送信ユニット１０がどの程度まで所与のデータ受信ユニット１２での干渉を引き起こすのかについては、所与の送信間隔の間のこのデータ送信ユニット１０の特定の送信動作に依存する。例えば、チャネライゼーションコード、チャネライゼーション・タイムスロット、及び／又はチャネライゼーション周波数のような、一定のチャネライゼーション・リソースは、データ送信ユニット１０にわたって再利用されてもよい。従って、近傍のデータ送信ユニット１０が同じチャネライゼーション・リソースを利用して同時に異なる情報を同時に送信する程度は、（潜在的に）干渉するデータ送信ユニット１０の範囲内にある所与のデータ送信ユニット１２によって経験される受信干渉の量及び性質に影響を与える、重大な要因である。
【００１７】
データ送信ユニット１０のうちのいずれの所与のデータ送信ユニット１０も、他のセル／セクタ内のデータ送信ユニット１０によりサポートされるデータ受信ユニット１２に対する潜在的に重大な干渉原因であるという点に関連して、本明細書で開示される１つの実施形態は、将来の送信リソース割り当てをシグナリングするために利用される送信パワーに関する。特に、本明細書で開示される少なくとも１つの実施形態は、データ送信ユニットにより送信される他の制御信号に対して割り当てられるより大きな信号パワーを利用して、将来の送信リソース割り当てをシグナリングする工程を含む。そのようにする工程は、従来のシグナリングの受信圏外にあるが依然としてデータ送信ユニット１０により引き起こされる干渉を受けやすいデータ受信ユニット１０についての信号の受信を強化する。換言すれば、所与のデータ送信ユニット１０は、（他の制御／オーバーヘッドチャネルシグナリングと比較して）相対的に高い信号パワーを利用して将来のリソース割り当ての標識を送信するように構成されることが可能であり、これにより、近傍のセル／セクタ内のデータ受信ユニット１２は、より確実にこのような情報を受信する。
【００１８】
これらの、及び他の動作の可能性を考慮に入れて、図２は、データ送信ユニット１０のうちの適切に構成されたデータ送信ユニット１０によって実行可能な、無線通信ネットワークにおけるリンク適応方法の広い実施形態の概要を示している。所与のデータ送信ユニット１０に関して、本方法は、データ送信ユニットが将来の送信間隔についての将来の送信リソース割り当てをシグナリングする工程で「開始する」（“begin”）（ステップ１００）。ＷＣＤＭＡの実施形態において、例えば、データ送信ユニット１０は、連続する送信時間間隔（ＴＴＩ：Transmit  Time  Interval）にわたって、サポートされるユーザ（データ受信ユニット１２）への送信をスケジューリングするように構成されうる。従って、将来の送信リソース割り当てをシグナリングする工程は、少なくとも１つの実施形態において、データ送信ユニット１０が将来のＴＴＩにおいてデータ送信ユニット１０により利用される送信リソース割り当ての標識をシグナリングする工程を含む。
【００１９】
本方法は、データ送信ユニットが、データ受信ユニット１２のうちの関連するデータ受信ユニット１２から将来の送信間隔についてのリンク適応のフィードバックを受信する工程へと続く（ステップ１０２）。例えば、データ送信ユニット１０は、データ送信ユニット１０によりサポートされているデータ受信ユニット１２から、将来の送信間隔についてのリンク適応のフィードバックを受信する。リンク適応のフィードバックは、対象とする将来の送信間隔について１つ以上のデータ送信ユニットから受信される将来の送信リソース割り当て情報に応じて、将来の送信間隔のためにデータ受信ユニット１２によって決定される。一般に、将来の送信間隔についてのリンク適応のフィードバックを算出する所与のデータ受信ユニット１２の能力は、将来の送信間隔において利用される将来の送信リソース割り当てに関する情報がそれについて受信される、複数の近傍のデータ送信ユニット１０によって改善する。
【００２０】
リンク適応のフィードバック自体は、基本的に、データ送信ユニット１０が、変化する受信状況に応じて、データ受信ユニット１２に対して自身の送信を適応させることを可能にするいずれのタイプのフィードバックを含んでもよい。非限定的な例において、リンク適応のフィードバックは、受信された信号品質等に応じてデータ受信ユニット１２により決定されるデータレート要求を含む。他の非限定的な例において、リンク適応のフィードバックは、信号品質の測定値及び／又はチャネル品質インジケータを含む。この信号品質の測定値及び／又はチャネル品質インジケータは、同様に、将来の送信間隔においてデータ受信ユニット１２へとデータを送信する際に利用する適切な送信リンクパラメータを決定するために、データ送信ユニット１０によって利用されうる。他の非限定的な例において、リンク適応のフィードバックは、好ましいコード又は周波数の割り当てのような、リソースプリファレンス情報を含む。
【００２１】
リンク適応のフィードバックのために適応される特定のタイプ又はフォーマットにかかわらず、データ送信ユニット１０は、将来の送信間隔において、この将来の送信間隔についてデータ受信ユニット１２から（以前に）受信されたリンク適応のフィードバックに従って、関連するデータ受信ユニット１２のために送信リンクを適応させる（ステップ１０４）。非限定的な例として、リンク適応は、直接的又は間接的に、リンク適応のフィードバックに従って、データ受信ユニットへの送信のためにデータをフォーマット化する工程を含む。データのフォーマット化は、データレート及び／又は変調フォーマットの選択を含んでもよい。より一般には、データ送信ユニット１０は、着目する将来の送信間隔において所与のデータ受信ユニット１２へと送信するための、変調及び符号化スキーム（「ＭＣＳ」：modulation  and  coding  scheme）を、着目するこの将来の送信間隔についてこのデータ受信ユニット１２から受信されるリンク適応のフィードバックに基づいて選択する。
【００２２】
図２に示される一般的な方法の更なる改良において、データ送信ユニット１０は、自身の送信間隔を同期させるように構成されてもよい。即ち、本方法は、１つ以上のデータ送信ユニット１０にわたって送信間隔を同期させる工程をさらに含んでもよく、これにより、将来の送信間隔は実質的にデータ送信ユニット１０にわたって同期して生じる。非限定的な例として、データ送信ユニット１０の所与の一群は、例えば、近傍のデータ送信ユニット１０の集合は、基準タイミングに基づくＧＰＳ（Global  Positioning  System）のような、一般的な基準タイミングを共有することに基づいて、同期させられた送信間隔によって動作してもよい。当然のことながら、当業者は、データ送信ユニットの動作を同期させるための他の仕組みが分かるであろう。
【００２３】
さらに、所与のエリア内の２つ以上のデータ送信ユニット１０が同期していない場合には、所与データ送信ユニット１０での着目する送信間隔は、他のデータ送信ユニット１０での着目する２つの送信間隔と、部分的に重なってもよい。例えば、ＷＣＤＭＡの実施形態において、所与のデータ送信ユニット１０のＴＴＩは、他のデータ送信ユニット１０の２つのＴＴＩと時間が重なってもよい。従って、所与のデータ受信ユニット１２にとっては、他のデータ送信ユニット１０が、関心のあるＴＴＩの一方又は双方においてアクティブであるか否かについて知ることは有益であろう。従って、将来の送信間隔についての将来の送信リソース割り当てのシグナリングは、１つ以上のデータ送信ユニット１０のいずれにおいても、１つより多い将来の送信間隔に関するシグナリングを送信する工程を含んでいる。将来の送信リソース割り当て情報がそれについて送信される将来の送信間隔の数は、送信間隔がデータ送信ユニット１０にわたってずれてもよい最大限度に従って設定することが可能である。
【００２４】
これによって、所与のデータ受信ユニット１２は、相対的なタイミングオフセットを推定することが可能であり、さらに、干渉する間隔と着目する将来の送信間隔とが重なる時間の割合に等しい重み係数を利用することによって、２つの（干渉する）送信間隔の干渉レベルの重み付け総和として、着目する将来の送信間隔についての有効な干渉を推定することが可能である。シグナリング情報が１つ以上の干渉する間隔のために利用できない場合には、データ送信ユニット１２は、名目上又は最悪のケースを想定した値若しくは重みを用いて、このような干渉を評価することが可能である。
【００２５】
このような追加的な改良の可能性を考慮に入れて、当然のことながら、１つ以上のデータ送信ユニット１０は、対応する将来の送信間隔についての自身の将来の送信リソース割り当てをシグナリングする。このようなシグナリングは、継続的に、データ送信ユニットにより一般に送信される１つ以上の制御シグナリングチャネル又はブロードキャストチャネルを利用して行なわれる。代替的に、１つ以上のデータ送信ユニット１０は、自身の送信リソース割り当てに関する情報を共有することが可能であり、これにより、所与のデータ送信ユニット１０は、１つより多いデータ送信ユニット１０で行なわれる将来の送信リソース割り当てに関する情報を送信することが可能である。
【００２６】
データ送信ユニット１０が個別送信、又は共有送信（shared  transmission）を実行するか否かにかかわらず、１つ以上のデータ送信ユニットから将来の送信間隔についての将来の送信リソース割り当てをシグナリングする１つの実施形態は、所与のデータ送信ユニット１０が将来の送信間隔において送信しようとしているか否かの標識を送信する工程を含む。即ち、１つ以上のデータ送信ユニット１０のそれぞれにより送信される将来の送信リソース割り当ての標識は、所与のデータ送信ユニット１０が対応する将来の送信間隔においてアクティブであるか否かを示す、「動作フラグ」（“activity  flag”）又は他のインジケータと同程度に簡易なものであってよい。
【００２７】
特に、１つ以上のデータ送信ユニット１０は、継続的にこのような標識を送信するように構成されることが可能であり、各標識は、データ送信ユニット１０が、少なくとも１つ以上の送信タイプに関して、対応する将来の送信間隔において送信しようとしているか否かを示す。例えば、ＨＳＤＰＡ及び他のタイプの高速パケットデータサービスは、重大な干渉を引き起こす可能性があり、従って、１つ以上のデータ送信ユニット１０は、このようなサービスが、対応する将来の送信間隔においてアクティブか否かを簡単に示すために、自身の送信リソース割り当てのシグナリングを利用してもよい。このようなシグナリングの効果は、明らかに、将来の送信間隔についてのアクティブ／非アクティブな送信状況を伝えるために必要な情報の量が小さい（１ビット）ことである。
【００２８】
当然のことながら、データ送信ユニット１０によりシグナリングされる送信リソース割り当て情報がより詳細な場合には、データ受信ユニット１２は、情報をより豊かに、より詳細に利用するように構成されることが可能である。例えば、データ送信ユニット１０が簡単に言えば自身の将来の送信リソース割り当てをシグナリングする場合に、即ち、リソースが将来の送信間隔（オン／オフ（on／off）又はアクティブ／非アクティブなシグナリング）において１つ以上の送信タイプのために割り当てられるか否かということであるが、所与のデータ受信ユニット１２は、対応する標識に従って各データ送信ユニット１０の干渉への寄与を考慮し又は考慮しない工程に、将来の送信間隔についてのリンク適応のフィードバックの自身の決定を基づかせてもよい。しかし、少なくとも１つの他の実施形態において、１つ以上のデータ送信ユニット１０から将来の送信間隔についての将来の送信リソース割り当てをシグナリングする工程は、将来の送信間隔において１つ以上のデータ送信ユニット１０により利用されるチャネライゼーション・リソース割り当てに対応するチャネライゼーション・リソース割り当て情報を送信する工程を含む。シグナリングされる将来の送信リソース割り当ての標識のような、チャネライゼーション・リソース情報を送信することは、１つ以上の実施形態において、チャネライゼーションコード割り当て情報、チャネライゼーション周波数割り当て情報、及びチャネライゼーション・タイムスロット割り当て情報のうちのいずれか１つ以上を送信する工程を含む。
【００２９】
例えば、所与のデータ送信ユニット１０は、将来の送信間隔の間に１つ以上の送信タイプのために利用されるチャネライゼーションコードに関する情報、例えば、コード割り当て情報、送信データレート情報及び／又はパワー割り当て情報を送信することが可能である。同様に、ＯＦＤＭの実施形態において、例えば、周波数（サブキャリア）割り当て情報、データレート情報及び／又はパワー割り当て情報を送信することが可能である。
【００３０】
簡単な標識、又は豊富な標識が将来の送信リソース割り当てに関して送信されるか否かにかかわらず、データ送信ユニット１０のいずれか１つ以上は、不利な受信状況におけるデータ受信ユニット１２へのサービスを改善することを指向する対象の（ユーザ）スケジューリングに基づいて自身の将来の送信リソース割り当てを決定するように構成されることが可能である。１つの実施形態において、データ送信ユニット１０は、より有利なロケーション内のユーザの性能を交換することによって、不利なロケーション（即ち、受信性能が不良のロケーション）にあるデータ受信ユニット１２のためのデータレートを改善するように構成される。特に、データ送信ユニット１０は、有利なロケーション内にあると知られているユーザについて、自身がより低いパワー又は他のリソース割り当てを利用して送信することを選択するストラテジを実現するように、構成され得る。
【００３１】
従って、データ送信ユニット１０は、不利なユーザへのサービスを改善するために、これらの「再要求された」（“reclaimed”）リソースを利用してもよい。追加的に、より有利なユーザに対して割り当てられるパワー及び／又は他の送信リソースを低減することによって、これらのユーザに対するサービスが周辺エリア内のユーザに干渉する傾向が減少する。即ち、１つの例として、データ送信ユニット１０のうちの所与の送信ユニット１０が、自身の状況がサポートできるより低いデータレートで有利なユーザにサービスを提供するスケジューリング・アルゴリズムを採用する場合に、このユーザに対する送信は一般に、周辺エリア内のユーザに関して、より少ない干渉を引き起こす。従って、送信リソースについてのこのような割り当てストラテジを採用することは、他のセル／セクタ内の不利なユーザの信号品質、例えばＳＩＮＲを上げる傾向があり、これにより、これらのユーザは、自身の各データ送信ユニット１０から良好にサービスを提供されるようになる。
【００３２】
上記の不利なユーザの提供が各データ送信ユニット１０のスケジューリング・アルゴリズムに組み込まれるか否かにかかわらず、各データ送信ユニット１０は、データ受信ユニット１２のうちの関連するデータ受信ユニット１２についての無線状態の知識に基づいて、自身の将来の送信リソース割り当てを決定するように構成されることが可能である。即ち、所与のデータ送信ユニット１０は、継続的に、将来の送信間隔でのサービス提供先の候補となるデータ受信ユニット１２により報告される無線状態の自身の知識に基づいて、対応する将来の送信間隔についての将来の送信リソース割り当てを決定することが可能である。このような無線状態の知識は、データ送信ユニット１０によりサポートされているデータ受信ユニット１２によってデータ送信ユニット１０へと提供されるリンク適応のフィードバックから、直接的又は間接的に収集されてもよい。
【００３３】
１つ以上のデータ送信ユニット１０による将来の送信リソース割り当てに関する情報の送信を補足して、図３は、複数のデータ送信ユニット１０を有する無線通信ネットワークにおける動作のために構成されたデータ受信ユニット１２におけるリンク適応をサポートする補足的方法の１つの実施形態を示している。図示される方法は、将来の送信間隔において１つ以上のデータ送信ユニット１０により利用される将来の送信リソース割り当ての標識を受信する工程を含む（ステップ１１０）。先に述べたように、理想的には、データ受信ユニット１２は、周辺エリア内の各データ送信ユニット１０についての将来の送信リソース割り当てを受信する。しかし、このような情報が、データ受信ユニット１２での信号受信に干渉する傾向があるデータ送信ユニット１０のいずれか１つ以上から受信される場合に、本明細書で開示される方法及び装置は、動作の上での効果を提供する。個々のデータ送信ユニット１０それぞれは、個別に、自身の将来の送信リソース割り当て情報をブロードキャストしてもよく、又はそうでなければ送信してもよいことも注意されたい。代替的に、データ送信ユニット１０は、それらの間でこのような情報を共有してもよく、これにより、所与のデータ送信ユニット１０が、自身についてこのような情報をシグナリングすることに加えて、又はその代替として、１つ以上の他のデータ送信ユニット１０のために将来の送信リソース割り当て情報をシグナリングする。このことは、干渉の観点から推奨され得る。
【００３４】
いずれの場合にも、データ受信ユニット１２は、近傍にある１つ以上のデータ送信ユニット１０で利用される将来の送信リソース割り当てに関する情報を受信し、この情報を、将来の送信間隔についてのリンク適応のフィードバックを決定するために利用する（ステップ１１２）。先に述べたように、リンク適応のフィードバックの決定は、データレート要求を決定する工程、信号品質の測定値を決定する工程、チャネル品質の測定値を決定する工程、又は、送信リンクが将来の送信間隔にどのように適応されるべきかについてサポート用データ送信ユニット１０に示す、任意のタイプの値を基本的に決定する工程を含んでもよい。図示される工程は、データ受信ユニット１２が、１つ以上のデータ送信ユニット１０での受信のために、リンク適応のフィードバックを送信する工程で終了する（ステップ１１４）。このような送信は将来の送信間隔より前に行なわれ、これにより、データ送信ユニット１０のうちのサポート用データ送信ユニット１０は、その後、データ受信ユニット１２のために適切なリンク適応を行なうために、将来の送信間隔においてフィードバックを利用することが可能である。
【００３５】
上記の広い方法の１つ以上のより詳細な実施形態において、将来の送信間隔において１つ以上のデータ送信ユニット１０により利用される将来の送信リソース割り当ての標識を受信する工程は、複数のデータ送信ユニット１０におけるそれぞれから、将来の送信間隔についての将来の送信リソース割り当ての標識を受信する工程を含む。これに対応して、将来の送信リソース割り当ての標識に基づいて将来の送信間隔についてのリンク適応のフィードバックを決定する工程は、将来の送信リソース割り当ての標識に基づいて将来の送信間隔についての干渉状況を予測する工程を含む。
【００３６】
少なくとも１つのこのような実施形態において、将来の送信リソース割り当ての標識は、１つ以上のデータ送信ユニット１０それぞれについて、データ送信ユニット１０が将来の送信間隔における１つ以上の送信タイプに関してアクティブか否かの標識を含む。このような標識により、データ受信ユニット１２は、データ送信ユニット１０がアクティブか否かについての対応する標識に従って個々のデータ送信ユニット１０の干渉への寄与を考慮し又は考慮しないことによって、将来の送信リソース割り当てに基づいて将来の送信間隔についての干渉状況を予測する。
【００３７】
干渉の推定をサポートするために、少なくとも１つの実施形態において、将来の送信リソース割り当ての標識は、１つ以上のデータ送信ユニット１０それぞれについて、将来の送信間隔についてチャネライゼーション・リソース割り当て情報を含む。このような情報により、データ受信ユニット１２は、対応するチャネライゼーション・リソース割り当て情報に従って個々のデータ送信ユニット１０の干渉への寄与を推定することによって、将来の送信間隔についての干渉状況を予測するように構成されうる。換言すれば、将来の送信間隔において１つ以上の（近傍の）データ送信ユニット１０で利用される送信リソース割り当てについてのより詳細な情報は、より正確な、又はより洗練された干渉の推定のための基礎を提供する。
【００３８】
従って、将来の送信リソース割り当ての標識に基づいて将来の送信間隔についてのリンク適応のフィードバックを決定する工程は、データ受信ユニット１２のいずれか１つ以上において、複数のデータ送信ユニット１０における各データ送信ユニット１０の干渉への寄与を推定する工程を含む。将来の送信間隔についてのこのような推定は、この将来の送信間隔について各データ送信ユニット１０から受信される、対応するチャネライゼーション・リソース割り当て情報に基づいている。
【００３９】
少なくとも１つのこのような実施形態において、チャネライゼーション・リソース割り当て情報は、チャネライゼーションコード割り当てとチャネライゼーション周波数割り当てとのうち少なくとも１つを含む。これによって、将来の送信間隔について複数のデータ送信ユニット１０における各データ送信ユニット１０の干渉への寄与を推定する工程は、（データ受信ユニット１２での）対応するチャネライゼーションコード又はチャネライゼーション周波数割り当ての知識に基づいて、信号障害相互相関を決定することを含む。反対に、データ受信ユニット１２は、リンク適応のフィードバックを算出するために、障害相互相関の自身の推定を利用し、これは信号品質の測定値、チャネル品質インジケータ、データレート等であってもよい。
【００４０】
図２及び図３を考慮に入れて、例えば、データ送信ユニット１０が無線基地局を含むこと、及び、データ受信ユニット１２が、セルラ無線電話等のような無線通信装置を含むことを想定してもよい。この文脈において、本明細書の開示の１つの一般的な観点は、自身がどの送信リソースを将来の送信間隔に利用するかに関する情報をブロードキャストする、データ送信ユニット１０を有することである。例えば、データ送信ユニット１０とデータ受信ユニット１２との間のダウンリンク送信は、無線通信ネットワーク８のＷＣＤＭＡの実施形態において、連続するＴＴＩに論理的に分割されてもよい。従って、いずれの所与のＴＴＩよりも前に、１つ以上のデータ送信ユニット１０は、来るべきＴＴＩについての将来の送信リソース割り当てをシグナリングする。反対に、所与のデータ受信ユニット１２は、各データ送信ユニット１０からの干渉を解明するための方法と共に、来たるＴＴＩについて予期される信号対干渉及び雑音比（ＳＩＮＲ）のより正確な推定値を決定するために、受信されたリソース割り当て情報を利用する。
【００４１】
従って、この来たる送信間隔において近傍のデータ送信ユニット１０により利用される送信リソース割り当ての、受信された知識に基づく、将来の送信間隔についてのＳＩＮＲの推定は、少なくとも現在記載している実施形態に関しては、本明細書の開示の注目すべき観点である。特に、データ受信ユニット１２は、将来の送信間隔に自身がサポート可能な最大データレートをより良好に決定するために、将来の送信リソース割り当ての情報を利用することが可能である。さらに、これに対応して、将来の送信間隔のためのこのレートを直接的又は間接的に要求する自身のサポート用データ送信ユニット１０へと、リンクフィードバック適応を送信することが可能である。これに応じて、サポート用データ送信ユニット１０は、可能であれば、このレートを、将来の送信間隔において無線通信装置へとデータを送信するために利用する。
【００４２】
以前に述べたように、少なくとも１つの実施形態において、シグナリングは、パケットが将来の送信間隔において所与のデータ送信ユニット１０により送信されるか否かについて示す１つの制御ビットと同じぐらい簡単であってもよい。この種のアクティブ／非アクティブなシグナリングは、例えば、データ送信ユニット１０がデータを送信する際には常に同じパワーを利用し、かつ、制御情報のみ（及び場合によっては、音声のような回線交換データ）が送信される際には異なるパワーレベルを利用する通信システムに適している。このようなシステムでは、データ受信ユニット１２は、パケットデータが送信される際にはどのパワーレベルがデータ送信ユニット１０によって利用されるのか、それ以外の場合にはどのパワーレベルが利用されるのかについて知ることが可能である。例えば、データ送信ユニット１０は、近傍のデータ受信ユニット１２による受信のために、このような情報を送信することもある。（所与のデータ受信ユニット１２が少なくとも近傍の、優勢な干渉するデータ送信ユニット１０から、このような情報を受信することもあるということは確実な想定である。）
【００４３】
他の実施形態において、どのくらいのパワーが利用されるかに関する情報のさらなるビットが、データ送信ユニット１０によって送信されてもよい。例えば、現在利用されているよりどれほど多くのパワーが利用されるのか、又は、いくつかの名目上の（最大）パワーレベルのどの部分が利用されるのかの双方について示すビットを送信することが可能である。パワーレベルを送信することは、データ送信ユニット１０が、パワーが全帯域幅に渡って拡散され、変化するパワーレベルでデータを送信してもよいシステムにとって有益である。例えば、ＨＳＤＰＡシステムでは、ＨＳＤＰＡサービスに利用可能な１６個のチャネライゼーションコードの幾つかの部分は、低いパワーによって利用されてもよい。同様に、ＯＦＤＭのシステムでは、利用可能なトーン（サブキャリア）の幾つかのみ、いくらか無作為抽出されて、帯域幅全域にわたって拡散されたトーンと共に利用されてもよく、これにより、他のデータ送信ユニット１０からの干渉が無作為抽出される。
【００４４】
従来のＷＣＤＭＡ送信及び受信についての本明細書の一般的な提案として、データ受信ユニット１２は、１つ以上のデータ送信ユニット１０がパケットデータのために、又は全送信（データ＋音声）のために利用する信号レベルを知ることで十分であることもある。しかし、進化した受信機設計のデータ受信ユニット１２にとっては、どのチャネライゼーションコード（拡散コード）が利用されるのかについて知ることが助けとなることもあり、場合によっては、それらに割り当てられるパワーを知ることが助けとなることもある。例えば、干渉する信号の拡散コードの知識を利用する進化した受信機は、どのコードがどのパワーレベルにおいて利用されるかについての知識を利用して、ＳＩＮＲのような、より正確な信号品質の測定値を決定することが可能である。同様に、データのトーンが、「チャンク」（“chunk”）として公知の、チャネルの帯域幅の連続した部分を占めることもあるＯＦＤＭシステムでは、受信機へデータを送信するために利用されるチャンクのそれぞれにおいて、干渉する基地局からのパワーレベルに関する情報がシグナリングされる場合に、幾つかのタイプの受信機は、より正確にＳＩＮＲを評価することが可能である。
【００４５】
従って、本明細書で開示される少なくとも幾つかの実施形態において、１つ以上のデータ送信ユニット１０は、将来の送信間隔において送信されるパワーを、このパワーが集められる特定の時間／周波数／コード／トーンのリソースについての対応する情報と共にブロードキャストする。このような情報は、データ受信ユニット１２が、自身のチャネル割り当てのためになお一層正確にＳＩＮＲの値を算出することを可能にする一方、データ送信ユニット１０内のスケジューラエンティティに、リソースの利用おけるさらなるフレキシビリティを提供する。スケジューラのフレキシビリティによって、例えば、ＯＦＤＭに基づくデータ送信ユニット１０は、チャネル状態が良好なトーンにおいて、所与のユーザのためにパワーを集中させることを選択してもよい。
【００４６】
将来の送信間隔についてＳＩＮＲ比を予測するために、所与のデータ受信ユニット１２で将来の送信リソース割り当てを利用することに関しては、これは、各干渉するデータ送信ユニット１０について別々に干渉レベルを測定し、その後、ＳＩＮＲを予測するためにこれらの測定値をシグナリング情報と共に利用することによって行なうことが可能である。従って、所与のデータ受信ユニット１２は、干渉の原因を区別する方法を必要とする。ＨＳＤＰＡサービスを提供する実施形態については、干渉の原因を区別することは、パラメトリックな汎用ＲＡＫＥ（Ｇ−Ｒａｋｅ）の受信信号処理の形態を利用することによって、データ受信ユニット１２において行なわれることが可能である。Ｇ−Ｒａｋｅの受信処理によって、（複数の信号の逆拡散フィンガにわたる）障害の共分散が、干渉するデータ送信ユニット１０の異なるデータ送信ユニット１０に対応する複数の項によってモデル化される。
【００４７】
さらに、ＳＩＲ（ＳＩＮＲ）は、障害の共分散のパラメトリックな推定を利用して、データ受信ユニット１２によって推定可能であり、データ受信ユニット１２は、シグナリングされた将来の送信リソース割り当ての情報に基づいて、一定の障害／干渉の項を排除し、又は調整する。例えば、将来の送信間隔において自身が非アクティブであることをシグナリングするデータ送信ユニット１０の障害への寄与は、検討の対象から外すことが可能である。同様に、異なる基地局についての障害への寄与は、シグナリングされる送信パワーに従って重み付けすることが可能である。
【００４８】
特に、２００４年３月１２日に出願され、出願整理番号１０／８００１６７が割り振られた、「Method  and  apparatus  for  parameter  estimation  in  a  generalized  RAKE  receiver」と題される、米国特許出願公開明細書に記載されるパラメトリックなＧ−Ｒａｋｅ受信を採用するデータ受信ユニット１２を検討されたい。データ受信ユニット１２は、通常は、以下の式を用いてＳＩＲを推定する。
【００４９】
【数１】
2010520659.tif 000003
【００５０】
ここで、演算子「Ｈ」はエルミート転置を表わし、項ｈはチャネル推定値（例えば、送信／受信フィルタの効果を含む正味のチャンネル推定値）を表し、項Ｒ−１は、フィンガ間の障害の共分散の行列Ｒの逆行列を表す。
【００５１】
少なくとも１つの実施形態において、データ受信ユニット１２のＧ−Ｒａｋｅ受信機の実施形態は、以下のように、障害の共分散の行列Ｒを計算するように構成される。
【００５２】
【数２】
2010520659.tif 000004
【００５３】
所与のデータ受信ユニット１２において、上記の総和は、自身のセルのデータ送信ユニット１０を含めて、干渉するデータ送信ユニット１０にわたって得られる。式（２）における右の最後の項は、残っている干渉及び雑音をモデル化している。スケーリング係数（αｊ）は、各データ送信ユニット１０（添え字ｊ）についての標準化モデルの共分散を調整し、データ受信ユニット１２において分かるデータ送信ユニットの全パワーに関連している。２つのデータ送信ユニット１０の間での、及び／又は２つの受信アンテナによるソフトハンドオフにおける状況は、同様である。
【００５４】
各データ送信ユニット１０が２つのパワーレベル、即ち、送信するＨＳＤＰＡパケットを有する場合の最大レベルと、送信するＨＳＤＰＡパケットが存在しない場合の通常レベルと、を採用する実施形態を検討されたい。式（２）の文脈において、各データ送信ユニット１０について２つの項αを推定することが知られており、このような各項は、２つの送信パワー状態のうちの１つと関連付けられている。従って、データ送信ユニット１０がどの状態に置かれているかに関するシグナリングに従って、データ受信ユニット１２は、Ｒを決定するために適切なαを利用することが可能であろう。このような場合に、データ送信ユニット１０からのシグナリングは、簡単に１ビットであってもよい。さらに、シグナリングは、個々のデータ受信ユニット１２において、どのαを後に更新するのかが分かるように「記憶される」（“remembered”）ことも可能であり、これによってさらにシグナリングに必要なビットが節約される。
【００５５】
代替的に、データ送信ユニット１０が、将来の送信間隔のために計画された自身の送信リソース割り当てについて、より豊富なシグナリング情報を提供する実施形態を検討されたい。例えば、所与のデータ送信ユニット１０は、自身が次のＴＴＩにおいて利用することを計画しているパワーの部分をシグナリングすることもある。この場合に、このような情報を受信するデータ受信ユニット１２は、以下のような障害の相関関係の行列Ｒを推定することが可能である。
【００５６】
【数３】
2010520659.tif 000005
【００５７】
ここで、ｆｊは利用されるパワーの部分を示す。この場合、項αｊは、最大のパワー状況に対応し、データ送信ユニット１０ごとにこのような項が１つだけ存在する。これらは、新しい将来の送信リソース割り当て情報が受信されるたびに、パラメトリックＧ−Ｒａｋｅのアプローチを用いて、かつパラメトリックなモデリングのために利用される適合式にｆｊを入れて、更新することが可能である。ある意味において、ｆｊ又はｆｊＲｊが例えばトレースのように小さい場合には、更新の効果が小さい可能性がある。
【００５８】
同様の工程が、データ送信ユニット１０が拡散コード、トーン及び／又は将来の送信間隔についてのパワー割り当て情報を通知する実施形態のために使用される。即ち、このような情報は、マルチユーザ（multi-user）検出において利用されるようなコード固有のパラメトリックなＲ行列、又は、他のコード固有の品質を形成するために利用可能であり、これはその後、ＳＩＲを推定し、送信リンク適応を行なうために利用可能である。
【００５９】
送信リンク適応に関連して、データ送信ユニット１０からデータ受信ユニット１２のそれぞれへとデータを送信する工程に関しては、個々のデータ送信ユニット１０は、データ受信ユニット１２のうちの対応するデータ受信ユニットへの配信のために、無線通信ネットワーク８から受信されたデータパケットをキューに入れる。少なくとも１つの実施形態において、データ送信ユニット１０は、これら上位層のパケットを、使用される特定の無線インタフェースプロトコルに従い、定義されたリソースのブロックに収められうる小さなチャンクに分割することが可能である。
【００６０】
従って、将来の送信間隔に所与のデータ送信ユニット１０において利用される、無線送信リソース、及び場合によっては他の（パワーレベル、拡散コード及びトーンのような）送信リソースが、データ受信ユニット１２への配信のためにキューに入れられるデータ量、及び、このデータ受信ユニット１２からの最近のデータレート要求に基づいて、データ送信ユニット１０によって推定される。その後、データ送信ユニット１０は、オーバヘッドチャネル又は共有チャネルでブロードキャストする、又は送信することなどによって、将来の送信間隔のために計画される送信リソース割り当てをシグナリングする。動作の一般的な点に関して、データ送信ユニット１０は、以前にシグナリングされた割り当て情報に従って所与の送信間隔のいずれかにおいて実際の送信リソース割り当てを行なう。即ち、いったんデータ送信ユニットが将来の送信間隔に関して意図する送信リソース割り当てについての情報がシグナリングされると、一般的には、これらの将来の送信間隔が来たときに、シグナリングされた当該割り当ては維持される。当然のことながら、当業者には分かるように、以前にシグナリングされた割り当てからの幾らかの変更が必要である場合もある。
【００６１】
所与の将来の送信間隔についてデータ送信ユニット１０により計画される送信リソース割り当ては、計画される割り当てがシグナリングされる時点では、いずれの特別なデータ受信ユニット１２にも必ずしも割り当てられないことが、当業者は当然のことながら分かるであろう。むしろ、少なくとも１つの実施形態において、データ送信ユニット１０は、将来の送信リソース割り当てをシグナリングし、自身の関連するデータ受信ユニット１２から対応するリンク適応のフィードバックを受信し、かつ、データ受信ユニット１２のうちの特定のデータ受信ユニット１２に対する、計画されたリソースの特定の（追加（ｓｕｂ））割り当てを行なうように構成されている。このような割り当ては、各データ送信ユニット１０における全スケジューリング対象と一致しており、各データ送信ユニット１０は、最大スループットの基準、比例公平性（proportional  fairness）の基準、最大のサービス品質（ＱｏＳ：Quality-of-Service）の要件等を考慮してもよい。
【００６２】
しかし、１つ以上のデータ送信ユニット１０により採用される特定のユーザ・スケジューリング対象にかかわらず、本明細書の開示は、データ送信ユニット１０及び各データ受信ユニット１２に、予測的送信リンク適応なしに達成されるであろう高速データレートで動作する機会を広く提供する。即ち、本明細書の開示は、例えば、１つ以上の周辺のデータ送信ユニット１０が将来の送信間隔に自身が非アクティブであることを示す場合に、所与データ受信ユニット１２が、近い将来の低い干渉の状況について報知されることを可能にする。このような状況が分かることによって、データ送信ユニット１２は、この将来の送信間隔について予期される信号品質の算出においてより挑戦的（aggressive）であってもよく、従って、この将来の送信間隔において自身のサポート用データ送信ユニット１０によって利用されるべき、対応するより高い信号品質を報告し、又は対応するより高いデータレートを要求する。
【００６３】
ある意味で、本明細書の開示は、統計的な送信リソースの再利用（ＳＴＲＲ：statistical  transmit  resource  reuse）の一形態である。なぜなら、個々のデータ送信ユニット１０における送信リソース割り当ては、ランダムなパケットの到着に応じて変化するからである。ＳＴＲＲによって、送信リソース割り当ては、データ受信ユニット１２において予期される実際のＳＩＮＲのレベルに基づいて、将来の送信間隔より前に行なわれる。反対に、データ受信ユニット１２は、かなり正確に、これらの将来の間隔より前にデータ送信ユニット１０からシグナリングされる将来の送信リソース割り当て情報に基づいて、将来の送信間隔についてどのＳＩＮＲレベルが期待されるのかを知る。ＳＴＲＲはこのように従来の送信リソース再利用のスキームを改善する。この従来の送信リソース再利用のスキームは、一般にＳＩＮＲ分布の第９０パーセンタイルに依存し、又は、受信機が信号品質を測定し報告する時間と、対応する送信機がこの報告を、受信機に対して自身の送信リンクを適応するために利用する時間と、の間に受信状況がどのくらい変化するか若しくは変化しないかについての、幾つかの他の一般的に保守的な想定に依存する。
【００６４】
ＳＴＲＲの１つの興味深い適用は、無線通信ネットワーク８により提供されるデータレートの組み合わせを変更する能力である。ホッピングによるＧＳＭ通信サービスと同様に、無線通信ネットワーク８に、流入制御を通じて部分的に負荷が掛けられることが可能であり、データ受信ユニット１２への送信のための(パケットデータの)キューが空になる可能性がさらに高くなる（時間再利用の１形態）。より数多くの、空の送信データキューのインスタンスを有することは、提供されるデータレートの組み合わせを変更し、高速レートがより多くの場合に、所与のセル又はセクタ内でのより多くの場所で生じることになる。従って、無線通信ネットワーク８の運用者が、高速レートを必要とするサービスのカバレージを改善したい場合には、部分的な負荷によるＳＴＲＲを、この目的を達成するために利用することが可能である。
【００６５】
上記のすべてを考慮に入れて、本明細書で開示されるＳＴＲＲの全工程の少なくとも１つの実施形態は、複数のステップを含む。最初に、１つ以上のデータ送信ユニット１０は、自身がどの送信リソースを将来割り当てるのかに関する情報をシグナリングするように構成される。このような情報は、以下のいずれか１つ以上、即ち、データ送信ユニット１０が、着目する将来の送信間隔においてパケットを送信するか否かについてのインジケータ（例えば１ビットのフラグ）、将来の送信間隔において１つ以上のタイプのチャネルを送信するために、データ送信ユニット１０がどのパワーレベル（相対的、絶対的）を利用するのか、どのチャネライゼーション・リソース（拡散コード、ＯＦＤＭ周波数、タイムスロット）が、将来の送信間隔においてデータ送信ユニット１０により利用されるか、及び、どのパワーレベルが異なるチャネライゼーション・リソースにより利用されるのか、のうちのいずれか１つ以上であってもよい。少なくとも１つの実施形態において、所与のデータ送信ユニット１０により最初に割り当てられ、シグナリングされるパワーレベル及びチャネライゼーション・リソースは、自身の関連するデータ受信ユニット１２により供給される周期的なフィードバックからデータ送信ユニット１０が既に使用可能な、最悪の場合のＳＩＮＲ推定値に基づくことか可能である。
【００６６】
次に、個々のデータ受信ユニット１２は、リンク適応のフィードバックを決定するために、１つ以上の周辺のデータ送信ユニット１０によりシグナリングされる将来のリソース割り当て情報を利用し、このことは、受信された将来の送信リソース割り当ての情報に基づいて、データ送信ユニット１０のうちのサポート用データ送信ユニット１０に、リソース割り当て要求を送信する工程を含む。より広くは、この要求は、以下のいずれか１つ以上、即ち、全データレート要求、全パワーレベル要求、場合によっては対応するデータレート及び送信パワー情報を伴う要求されたチャネライゼーション・リソースの標識、のうちのいずれか１つ以上であってもよい。データ送信ユニット１０の所与のデータ送信ユニット１０に関して、次の工程は、データ送信ユニット１０が、自身のサポートされるデータ受信ユニットから自身によって受信された要求に基づいて、送信リソースを割り当てることである。
【００６７】
図４は、このような動作についてのタイムラインを示している。当業者は、図４がいずれの正確な時間的尺度も、又は相対的なタイミングも表しておらず、むしろ、所与のデータ送信ユニット１０と、自身のデータ受信ユニット１２のうちのサポートされるデータ受信ユニット１２と、の間での一般的な動作シーケンスを示すものであることに注意されたい。
【００６８】
図に示されるタイムラインに従って、データ送信ユニット１０は（図表では「ＤＳＵ：data  sending  unit」と略される）、将来の送信間隔についての送信リソース割り当てを決定する。先に述べたように、決定は、動的な、又は固定されたユーザ・スケジューリングの対象に従って、データ送信ユニット１０内の処理回路において駆動するスケジューリング・ロジックによって行なうことが可能である。いずれの場合にも、ＤＳＵはデータ受信ユニット１２（図では「ＤＲＵ：data  receiving  unit」と略される）に対して、将来の送信間隔について自身の将来の送信リソース割り当ての標識をシグナリングする。特に、ＤＲＵは、同じ、又は他の将来の送信間隔について、周辺エリア内の１つ以上の他のＤＳＵから同様の将来の割り当て情報を受信することが可能である。実際に、ＤＲＵは、自身をサポートする特定のＤＳＵから将来の割り当て情報を受信する必要はない。例えば、所与のＤＲＵが、ＤＲＵにとっては他のセルの干渉の主な原因であるサポートされていないＤＳＵから、将来の送信リソース割り当てを受信することがより有益であることもある。
【００６９】
いずれの場合にも、ＤＲＵは、自身のサポート用ＤＳＵ、及び／又は１つ以上の他のＤＳＵから受信された将来の割り当て情報を利用し、さらに、この情報を、対応する将来の送信間隔について予期される干渉を計算するために利用する。反対に、予期される干渉のレベルは、ＤＲＵが将来の送信間隔についてのリンク適応のフィードバック（図では「ＬＡＦ：link  adaption  feedback」と略される）を計算するための基礎を提供し、これを、将来の送信間隔よりも前にサポート用ＤＳＵへと送り返す。次に、即ち、将来の送信間隔が来た場合には、ＤＳＵは、ＤＲＵについての受信されたリンク適応のフィードバックを、この特定のＤＲＵが将来の送信間隔の間のサービスのために選択されていることを当然想定ながら、ＤＲＵに対して自身の送信リンクを適応させるために利用する。（先に述べたように、ＤＳＵは、将来の送信間隔のための特定の送信リソースを利用することに専念することが可能であるが、その場合には、将来の送信間隔の間のサービスのために、割り当てられたリソースを特定のＤＲＵに対してどのように配分するかについて特に決定する前に、自身がサポートしている様々なＤＲＵから対応するリンク適応のフィードバックを受信するまで待機する。）
【００７０】
図５は、先に記載された実施形態のいずれか１つ以上に従った、データ送信ユニット１０及びデータ受信ユニットのための物理的及び／又は論理的回路の構成を示している。図に示されるデータ受信ユニット１２は、１つ以上の処理回路１４を含み、この処理回路の１つの実施形態が図６に詳しく示されている。
【００７１】
図６に示される回路構成は、非限定的な例であってその際無線通信インタフェース１６は無線通信ネットワーク８との無線通信をサポートしており、様々な送信及び受信回路、即ち、無線周波数の送受信機としての機能を含んでいる。少なくとも１つの例において、無線通信インタフェース１６は、フロントエンドの受信機回路を含み、このフロントエンドの受信機回路は、アンテナにより受信された信号を、デジタルベースバンドのサンプルへと変換する。デジタルベースバンドのサンプルは、受信された信号の処理のために、例えば、復調及び符号化のために、受信機の回路２０に入力される。受信機回路２０は、本明細書で以前に論じられたＧ−Ｒａｋｅ受信機として構成されてもよく、デジタルベースバンドの処理回路の全て又は一部を含んでもよい。このような回路は、技術において公知のように、１つ以上のマイクロプロセッサ、デジタル信号プロセッサ、ＦＰＧＡ、ＡＳＩＣ又は他のデジタル処理回路を用いて実装されてもよい。このような文脈において、受信される信号の処理の機能ロジックは、ハードウェア、ソフトウェア、又は、いずれかのこれらの組み合わせにおいて実現されてもよい。
【００７２】
少なくとも１つの実施形態において、本明細書で開示されるＳＴＲＲの処理に含まれる予測的リンク適応が、リンク適応フィードバック回路２２に実現され、このリンク適応フィードバック回路２２は受信機回路２０に含まれる、又は、受信機回路２０と関連付けられる。従って、リンク適応フィードバック回路２２は、ハードウェア、ソフトウェア、又は、任意のこれらの組み合わせを含んでもよく、さらに、リンク適応フィードバック回路２２に含まれた、又はリンク適応フィードバック回路２２にアクセス可能なメモリ回路に保持されたコンピュータプログラム命令として実現可能な、サポートしている予測的リンク適応と関連付けられた処理ロジックの全て又は一部を含んでもよい。
【００７３】
さらに、干渉推定回路２４及び信号品質推定回路２６は、リンク適応回路２２に含まれた、又はリンク適応回路２２と関連付けられた論理回路の要素である。例えば、干渉推定回路２４は、１つ以上の実施形態において、１つ以上のデータ送信ユニット１０によりシグナリングされる対応する送信リソース割り当てに基づいて、将来の送信間隔についての障害の相関関係の推定を実行するように構成される。
【００７４】
換言すれば、干渉推定回路２４は、受信機回路２０により実行されるＧ−Ｒａｋｅ受信機の処理の部分を含んでもよく、さらに式（２）又は式（３）を実施してもよい。そのようなものとして、将来の送信間隔についての周辺のデータ送信ユニット１０の干渉への寄与が、これらデータ送信ユニット１０によりシグナリングされる対応する将来の送信リソース割り当てに応じて考慮され、又は考慮されない（若しくは、重み付けられ、若しくはそうでなければ調整される）。信号品質推定回路２６は、将来の送信間隔についての信号品質の測定値を計算するために、対応する干渉の推定を利用する。データ受信ユニット１２は、リンク適応のフィードバックとして、自身のデータサポートユニット１０へと信号品質の推定値を返送してもよい、又はマッピングしてもよい、又はそうでなければ、計算された信号品質をチャネル品質インジータ、データレート要求、若しくは、将来の送信間隔について予期される信号品質に関連した、他の対応する、場合により量子化された値に翻訳してもよい。
【００７５】
一時的に図５に戻るが、データ送信ユニット１０の実施形態が、同様に１つ以上の処理回路３０を含むことが分かる。図７に示される１つ以上の処理回路３０は、リンク適応回路３２、ユーザ・スケジューリング回路３４、及び、通信／制御回路３６を含む。データ受信ユニット１２と同様に、これらの処理回路及び制御回路は、ハードウェア、ソフトウェア、又は任意のこれらの組み合わせを用いて、データ送信ユニット１０に実装された論理回路の構造によって実現されてもよく、又はサポートされてもよい。
【００７６】
例えば、リンク適応回路３２は、１つ以上のマイクロプロセッサ、デジタル信号プロセッサ、又は他のデジタル処理の要素において対応するコンピュータ命令を実行することによって、本明細書で開示される予測的リンク適応をサポートするように構成されてもよい。同様に、予測的リンク適応の不利なユーザの観点及び部分的なリソースの負荷の観点が、適切なハードウェア及び／又はソフトウェアの提供を通じて、ユーザ・スケジューリング回路３４の演算に組み込まれてもよい。
【００７７】
同様に、通信／制御回路３６はデータの送信／受信データ処理を提供するが、例えば、目標データ受信ユニット１２へと送信されるべき、入って来るパケットデータの収集の補助のために、及び／又は、パケットデータのキューの大きさを追跡するために、ユーザ・スケジューリング回路３４とリンク適応回路３２のそれぞれと通信してもよい。いずれの場合にも、いずれのこのような回路、又は全てのこのような回路が、直接的又は間接的に、（リモート）データ受信ユニット１２との通信をサポートする無線通信インタフェース３８に通信伝達的に接続されてもよい。少なくとも１つの実施形態において、データ送信ユニット１０は無線基地局であり、無線通信インタフェース３８は、例えば、ＷＣＤＭＡ無線インフェースの規格に従って構成された、無線周波数の送受信機の回路を含む。
【００７８】
一般に、当業者は、無線通信ネットワーク８が、ＨＳＰＤＡサービスを提供する、又は、開発中の「Ｓｕｐｅｒ３Ｇ」若しくは「Long  Term  Evolution」(ＬＴＥ)及びＷｉＭＡＸの規格に従った、直交周波数分割多重方式（ＯＦＤＭ：Orthogonal  Frequency  Division  Multiplexing）を提供するＷＣＤＭＡネットワークを含んでもよいことが分かるであろう。当然のことながら、ネットワーク８は、ＷｉＭＡＸ、及び、いずれの複数の開発中の「４Ｇ」の無線通信規格も含め、基本的にいずれの規格又は無線インタフェースプロトコルに従って構成されてよい。データ送信ユニット１０及びデータ受信ユニット１２は、これに従って構成される。ＷｉＭＡＸにおいて、送信間隔はフレームに対応してもよい。
【００７９】
従って、１つ以上の実施形態において、データ受信ユニット１２は、ＷｉＭＡＸ又はＬＴＥ無線通信ネットワークにおける動作のために構成された無線通信装置を含む。このような実施形態において、将来の送信間隔において１つ以上のデータ送信ユニット１０により利用される将来の送信リソース割り当ての標識を受信する工程は、ＷｉＭＡＸ又はＬＴＥ無線インタフェースの将来の送信時間間隔（ＴＴＩ）又はフレームについて、ＷｉＭＡＸ又はＬＴＥ無線通信ネットワーク内の１つ以上の基地局から、将来の送信リソース割り当ての標識を受信する工程を含んでもよい。
【００８０】
非限定的な例を考慮に入れて、当然のことながら、ＳＴＲＲの基礎としての予測的リンク適応は、不利なユーザの補償及び部分的なリソースの負荷の相補的な方法と共に、広く、様々な通信ネットワークタイプに適用される。さらに、先の記載及び例はダウンリンクの処理に焦点を合わせているが、当然のことながら、本明細書で開示される方法及び装置は、データ受信ユニット１２とデータ送信ユニット１０との間のアップリンク送信リンクの適応にも適用可能である。例えば、データ送信ユニット１０は、それらがパケットデータを送信しようとしていることを報知する近傍のセル又はセクタ内のデータ受信ユニット１２からの通知を「聴く」（“listen”）ために構成されてもよい。パケットデータを送信するために、これらデータ受信ユニット１２により利用されるパワーレベルを追跡することによって、データ送信ユニット１０は、ＳＩＮＲ（又は他の信号品質の測定値）を算出することが可能であり、これに従ってアップリンク・データレートを適応することが可能である。
【００８１】
従って、上記の記載及び添付図面は、予測的リンク適応について本明細書で開示される方法及び装置の非限定的な例である。そのようなものとして、本発明は、上記の記載及び添付図面によって限定されない。その代わり本発明は、以下の特許請求の範囲及びその法的な均等物によってのみ限定される。
【図１】
2010520659.tif 000006
【図２】
2010520659.tif 000007
【図３】
2010520659.tif 000008
【図４】
2010520659.tif 000009
【図５】
2010520659.tif 000010
【図６】
2010520659.tif 000011
【図７】
2010520659.tif 000012
【国際調査報告】
2010520659.tif 000013
2010520659.tif 000014
2010520659.tif 000015
2010520659.tif 000016